(57)【要約】  【課題】      周辺植物を効率よく捕捉し、この捕捉した植物の種子を繁茂させることにより、現地植物による緑化を達成すると共に、法面の保護を行うことができる周辺植物導入用の植生マットおよび法面保護工法を提供すること。  【解決手段】  法面Ｎ上に配置される第１ネット２と、この第１ネット２の上部に位置するように重ねた状態で第１ネット２に連結される第２ネット３と、法面Ｎへの設置状態において両ネット２，３間に横方向に形成された収容部４内に収容させた肥料袋５と、第１ネット２に取り付けられた薄綿８とを有し、前記収容部４を構成する部分の第２ネット３の目合い３ｃ’を密にすることにより、この収容部４の部分に周辺植物の種子３２を捕捉させるポケット９が形成されている。  【選択図】    図１
2006266043.tif 000002
【特許請求の範囲】
【請求項１】
法面上に配置される第１ネットと、この第１ネットの上部に位置するように重ねた状態で第１ネットに連結される第２ネットと、法面への設置状態において両ネット間に横方向に形成された収容部内に収容させた肥料袋と、第１ネットに取り付けられた薄綿とを有し、前記収容部を構成する部分の第２ネットの目合いを密にすることにより、この収容部の部分に周辺植物の種子を捕捉させるポケットが形成されていることを特徴とする周辺植物導入用の植生マット。
【請求項２】
前記第１ネットを構成する繊維が第２ネットを構成する繊維に比べて太くしてある請求項１に記載の周辺植物導入用の植生マット。
【請求項３】
法面への設置状態において前記肥料袋よりも谷側に位置する両ネット間に横方向に形成された収容部内に収容されて、少なくとも周辺植物の生態系に悪影響をおよぼさない植物の種子を含ませてなる基材袋を有し、かつ、前記肥料袋よりも山側に位置する部分に周辺植物の種子を捕捉し集めるための十分な種子捕捉領域が設けられている請求項１または２に記載の周辺植物導入用の植生マット。
【請求項４】
請求項１〜３の何れかに記載の周辺植物導入用の植生マットを、前記薄綿が法面に当接すると共に前記肥料袋が等高線状に配置されるように法面に固定することにより、前記第２ネットを法面から浮かせた状態で配置することを特徴とする法面保護工法。
【発明の詳細な説明】
【技術分野】
【０００１】
本発明は、例えば法面の緑化に用いられる周辺植物導入用の植生マットおよび法面保護工法に関する。
【背景技術】
【０００２】
従来より法面緑化用の植生マットは、ネットの適所に保水材、土壌改良材、肥料、種子などが入った基材袋を取り付けてなる。この植生マットは、法面に敷設することにより、前記種子から発芽した植物をすぐに繁茂させることができ、法面の早期緑化を行なうことができる。そして、この植生マットを用いた法面の緑化は、単に法面を緑化するだけでなく、法面の浸食防止や凍上防止を行なって法面を保護するものともなっている。
【０００３】
ところが、早期に繁茂する植物は、現場の周辺植物と異なっている場合が多いため、近年は植生マットの導入によって繁茂した植物が、現地の生態系に及ぼす影響について憂慮されている。そこで、特許文献１には、法面の上に植物の種子を含む人工土壌を配置する場合に、この人工土壌からなる複数の山状部の列を形成し、この山状部の間に平坦部を設けるように植生マットを配置することが記載されている。これによって、平坦部に飛来した種子の生長がマットに内包された種子から生育する植物に阻害されることなく、在来種の自然繁茂を促すことができるとされている。
【特許文献１】特開２０００−１６０５６１号公報
【発明の開示】
【発明が解決しようとする課題】
【０００４】
ところが、特許文献１の発明を用いた場合、平坦部に飛来した植物の種子がネットの上に留まっていれば、発芽の見込みはあるものの、風などによって平坦部から容易に飛ばされる可能性もあるので、その発芽の可能性が少ないという問題があった。また、運良く平坦部に飛来した植物には生長できる可能性があるとしても、山状部に落ちた種子はたとえ発芽できたとしても人口土壌に含ませた植物の成長に阻まれて生長できなくなることがある。
【０００５】
他方、前記周辺植物が被圧されることなく生長できるようにするために、植物の種子を含む人工土壌が占める面積を小さくすると、法面を十分に保護できなくなるという問題があった。つまり、雨が人工土壌を形成していない法面に当たることによって法面が浸食されたり、冬期に土壌が凍上することにより表層が浮き上がって、土壌が流亡することがあった。このため、せっかく周辺植物が落下しても、これが緑化につながらないという問題が生じることも考えられる。
【０００６】
本発明は上述の事柄を考慮に入れてなされたものであって、その目的は、周辺植物を効率よく捕捉し、この捕捉した植物の種子を繁茂させることにより、現地植物による緑化を達成すると共に、法面の保護を行うことができる周辺植物導入用の植生マットおよび法面保護工法を提供することである。
【課題を解決するための手段】
【０００７】
上記目的を達成するために、本発明の周辺植物導入用の植生マットは、法面上に配置される第１ネットと、この第１ネットの上部に位置するように重ねた状態で第１ネットに連結される第２ネットと、法面への設置状態において両ネット間に横方向に形成された収容部内に収容させた肥料袋と、第１ネットに取り付けられた薄綿とを有し、前記収容部を構成する部分の第２ネットの目合いを密にすることにより、この収容部の部分に周辺植物の種子を捕捉させるポケットが形成されていることを特徴としている（請求項１）。前記肥料袋に収容する肥料は数カ月以上の長い期間にわたってゆっくりと養分を供給する超遅効性の肥料であることが望ましい。
【０００８】
前記薄綿は、薄い綿花ではなく、薄い綿状のものを意味している。また、この薄綿は長期間にわたって法面を保護できるように分解速度の異なる２種類以上の素材からなる繊維を混合させて十分な耐蝕性や吸水性を兼ね備えたものとすることが望ましい。しかしながら、薄綿は最終的には微生物によって分解されるものである。吸水性のある繊維としてはレーヨンややし繊維を用いることができ、耐蝕性のある繊維としては、例えばポリ乳酸繊維などの生分解性プラスチック、動物性繊維、やし繊維や竹繊維などの植物性繊維、金属繊維などを用いることができる。
【０００９】
前記第１ネットを構成する繊維が第２ネットを構成する繊維に比べて太くしてあってもよい（請求項２）。第１ネットを構成する繊維は例えばフラットヤーンのように幅のある繊維であり、第２ネットを構成する繊維は例えばモノフィラメントを編成することにより十分な強度を備えながら第１ネットに比べて細い糸状にすることができる。
【００１０】
法面への設置状態において前記肥料袋よりも谷側に位置する両ネット間に横方向に形成された収容部内に収容されて、少なくとも周辺植物の生態系に悪影響をおよぼさない植物の種子を含ませてなる基材袋を有し、かつ、前記肥料袋よりも山側に位置する部分に周辺植物の種子を捕捉し集めるための十分な種子捕捉領域が設けられていてもよい（請求項３）。
【００１１】
本発明の法面保護工法は、前記周辺植物導入用の植生マットを、前記薄綿が法面に当接すると共に前記肥料袋が等高線状に配置されるように法面に固定することにより、前記第２ネットを法面から浮かせた状態で配置することを特徴としている（請求項４）。
【発明の効果】
【００１２】
請求項１に記載の周辺植物導入用の植生マットは、第１ネットに薄綿が取り付けられているので、施工後にこの薄綿が法面に密着し、雨風が法面に直接的に当たらないようにすることができる。また、薄綿によって保水や保温を行うことができるので、表層土壌の浸食や凍上を防止することができる。
【００１３】
飛来または落下した植物の種子はまず第２ネットに当たることにより落下速度が弱まり、第１ネットや薄綿に当たることによって法面の表面に留まることができる。第２ネットは第１ネットの上部に位置するように配置されているので、外部からの風が第２ネットに当たることにより緩衝され、法面の表面に留まった種子を吹き飛ばしにくくなる。また、薄綿の上に落ちた植物の種子は薄綿に絡まることにより薄綿から容易に外れないようにすることができる。
【００１４】
さらに、ドングリのような転がり易い形状の種子は薄綿や第１ネットの上を転がることも考えられるが、このような場合にも収容部に形成されたポケットによって種子が捕捉されるので、これを発芽させることができる。なお、ポケットを構成する第２ネットの目合いは周辺植物の種子を確実に捕らえることができるように、これらの種子よりも細かい目合いに形成されていることが望ましい。
【００１５】
そして、ポケットに捕捉された種子は肥料袋から養分を得ることができるので、この植物の種子を確実に生長させることができる。肥料袋は多量の養分を供給するものでなくても、その直上にあるポケットに捕捉された種子には十分な養分を供給することができる。むしろ、肥料袋に収容する肥料は数カ月以上の長い期間にわたってゆっくりと養分を供給する超遅効性の肥料であることが望ましく、これによって、セイタカアワダチソウ等の望ましくない野草が繁茂したり、過剰に流れ出た養分が水質汚濁の原因となることを防止できる。
【００１６】
前記薄綿は長期間にわたって法面を保護できるように分解速度の異なる２種類以上の繊維を混合させて十分な耐蝕性や吸水性を兼ね備えるようにすることにより、この薄綿は施工後例えば１年以上経過しても完全に分解しないものとすることができ、落下または飛来した周辺種子を長期間に渡って捕捉することができる。また、薄綿は、これに絡まった種子が法面に十分に根づくまでの間、法面の表層土壌を雨水による流亡や冬期の凍上から保護するとともに、種子の発芽および生育に必要な水分を保つことができる。そして、この薄綿は最終的には微生物によって分解されて養分となる。
【００１７】
前記第１ネットを構成する繊維が第２ネットを構成する繊維に比べて太くしてある場合（請求項２）には、第１ネットを構成する繊維を太くすればするほど第１ネットの目合いを第２ネットの目合いよりも密にすることができる。これによって、落下または飛来する種子が第２ネットの目合いを通りやすくすることができる。一方、雨水などはフラットヤーンのようにより太い繊維からなる第１ネットに当たることにより減速しやすくなり、それだけ法面の保護を行うことができる。
【００１８】
また、第２ネットを例えばモノフィラメント、第１ネットを例えばフラットヤーンによって形成するなどネットを構成する繊維の形態を変えたり、異なる素材の繊維を用いることにより、第２ネットを構成する繊維を第１ネットを構成する繊維に比べて熱収縮率の高いものとすることが望ましい。つまり、前記薄綿の取付け時に第１ネットとこれに連結される第２ネットを加熱することにより第２ネットを収縮させることができ、施工時には第１ネットに法面に密着する程度の弛みを持たせた状態で、第２ネットに十分な張力をかけて第１ネットの上部に位置させることができる。加えて、施工後の太陽熱などを利用して第２ネットを収縮させることもできる。すなわち、第２ネットと第１ネットによる立体的な２重ネット構造を確実なものとすることができる。さらに、第２ネットをモノフィラメントの編成によって形成することにより、第２ネットは十分な強度を備えながら第１ネットに比べて細く形成することができる。
【００１９】
法面への設置状態において前記肥料袋よりも谷側に位置する両ネット間に横方向に形成された収容部内に収容されて、少なくとも周辺植物の生態系に悪影響をおよぼさない植物の種子を含ませてなる基材袋を有し、かつ、前記肥料袋よりも山側に位置する部分に周辺植物の種子を捕捉し集めるための十分な種子捕捉領域が設けられている場合（請求項３）には、周辺植物導入用の植生マットを敷設した後の早い時期に基材袋内の種子によって法面を部分的に緑化する一方で、周辺植物を導入した緑化を行うことができる。基材袋が肥料袋よりも谷側に位置するように配置されているので、肥料袋によって供給される養分はポケット内に捕捉される周辺種子に供給できる。さらに、肥料袋の山側に種子捕捉領域が形成されているので周辺種子を効率よく捕捉し、捕捉しきれなかった種子もポケットに導入することにより、これを捕捉することができる。
【００２０】
請求項４に記載の法面保護工法によれば、周辺植物導入用の植生マットに装着される薄綿が法面に密着することによって法面の浸食や凍上を防止することにより、この法面を保護することができる。そして、保護された法面の上で飛来または落下した周辺種子が繁茂しやすい環境を整えることができる。とりわけ、等高線状に配置されたポケットは内部に周辺植物を導入して捕捉するものであり、ポケット内に捕捉した周辺植物の種子の発芽および生育を肥料袋内の肥料によって支援することができる。
【００２１】
また、植生マットが法面に固定されているので、第２ネットが太陽熱などによって収縮するときに、第２ネットに張力がかかり、肥料袋の厚み分だけ確実に法面から浮かせた状態で配置することができる。そして、第１ネットよりも上に浮かせた状態で配置された第２ネットは、風避けとしても機能するので、第１ネットまたは薄綿に絡まった種子が風によって飛ばされることがないようにすることができる。
【発明を実施するための最良の形態】
【００２２】
図１〜図５は、本実施例の周辺植物導入用の植生マット１を示す図であって、図１は前記植生マット１の構成および施工状態を示す縦断面図、図２は植生マット１の網状体本体１ａの分解斜視図、図３は植生マット１の構成を拡大して示す図、図４は植生マット１を用いた施工方法を説明する図、図５は施工後の植生マット１の一状態を示す図である。
【００２３】
本実施例の植生マット１は、例えば法面Ｎ上に配置される第１ネット２と、この第１ネット２の上部に位置するように重ねた状態で第１ネット２に連結される第２ネット３と、両ネット２，３の経糸２ａ，３ａ（詳細は後述する）を適宜間隔で互いに連結する中閉じ糸Ｂと、この中閉じ糸Ｂによって閉じない部分を設けて両ネット１，２間に形成された収容部４内に収容させた肥料袋５と、別の収容部６内に収容させた基材袋７と、第１ネットの下面に取り付けられた薄綿８とを有する。
【００２４】
第１ネット２は図２に示すように、例えばポリエチレン（ＰＥ）系の合成樹脂からなるフラットヤーンからなる緯糸２ａと、この緯糸２ａに直行する例えばＰＥ系の合成樹脂からなるモノフィラメントを鎖編みすることにより形成してなる経糸２ｂとからなり、緯糸２ａは経糸２ｂ間をジグザグに進むようにして編み込んで形成したものである。また、その目合い２ｃは、飛来または落下する周辺植物の種子（以下、飛来種子または落下種子という）よりも幾らか大きい程度の大きさを有する。
【００２５】
一方、第２ネット３は例えばＰＥ系の合成樹脂からなるモノフィラメントを鎖編みすることにより形成された緯糸３ａと、この緯糸３ａに直行する例えばＰＥ系の合成樹脂からなるモノフィラメントを鎖編みすることにより形成された経糸３ｂとからなり、本実施例では経糸２ｂ，３ｂを中閉じ糸Ｂによって連結することにより、第１ネット２の上部の所定高さ位置に第２ネット３を位置させるようにすることができる。なお、緯糸３ａはこれに直行する経糸３ｂ間をジグザグに進みようにして編み込んで形成してあってもよい。前記緯糸３ａを構成するモノフィラメントは緯糸２ａを構成するフラットヤーンよりも細い繊維であるから、その目合い３ｃを第１ネット２の目合い２ｃよりも大きくすることができる。
【００２６】
また、第２ネット３において、前記収容部４の部分、すなわち、収容部４を構成する第２ネット３または収容部４の周辺を含む第２ネット３または収容部４の一部を構成する第２ネット３の目合い３ｃ’は、周辺植物の種子よりも小さい目合いとなるように密に形成されており、この目合い３ｃ’を密に形成した部分に種子を捕捉させるためのポケット９を形成している。加えて、施工時にポケット９の部分よりも山側に位置する第２ネット３には、周辺植物の種子を捕捉するとともに少なくとも種子を捕捉して集めるために十分な面積の種子捕捉領域１０を形成している。
【００２７】
上述のように構成された第２ネット３の目合い３ｃは種子捕捉領域１０に飛来種子または落下種子を容易に通過させることができると共に、第２ネット３に飛来種子や落下種子が当たることによって種子の移動速度を遅くし、かつ、ある程度の風除けとして機能できる程度の大きさである。また、ポケット９の部分の第２ネット３の目合い３ｃ’は内部に収容された種子が容易に流亡しない程度に密に形成する。
【００２８】
さらに、前記中閉じ糸Ｂは、図３に示すように、経糸２ｂ，３ｂを適宜の間隔（例えば１本間隔）をおいて連結することにより、二重網構造の網状体本体１ａに形成されている。また、中閉じ糸Ｂが経糸２ｂ，３ｂを連結しない部分を横方向に残すことにより、前記収容部４，６が形成されている。また、前記収容部４には肥料袋５が挿入されるだけでなく、前記ポケット９が形成されるので、前記収容部６に比べて大きく形成してある。
【００２９】
前記肥料袋５は前記収容部４内に収容されるものであり、これによって植生マット１はポケット９内に収容された飛来種子または落下種子に養分を供給することができる。また、肥料袋５は例えば耐腐蝕性の不織布によって構成された袋５ａ内に、ポケット９内の植物に少しずつ溶出する程度の養分を、少なくとも数カ月〜数年（本実施例の場合は３〜５年）といった長い肥効期間にわたって供給する超遅効性の肥料５ｂを収容してなるものである。加えて、前記袋５ａ内に保水材や土壌改良剤などが含められていてもよい。なお、前記収容部４が肥料袋５に比べて十分に大きく形成されているので、収容部４に肥料袋５を挿入した状態で、肥料袋５の上部における収容部４内に飛来種子または落下種子のポケット９を形成する。
【００３０】
一方、前記基材袋７は収容部６に収容されるものであり、前記植生マット１は基材袋７を備えることにより、施工後の早い時期において法面を緑化するものである。基材袋７は耐腐蝕性の不織布によって構成された袋７ａ内に、例えば、保水材、土壌改良剤、肥料に加えて、周辺植物の生態系に悪影響を及ぼさない植物の種子７ｂを収容してなる。なお、周辺植物の生態系に悪影響を及ぼさない植物の種子は、例えば、ペレニアルライグラスやイタリアングラスなどの牧草種や、ススキ、メドハギ、ヨモギなどの野草種、ヌルデ、アカメガシワ、ヤシャブシ、ネムノキなどの先駆性植物の種子である。牧草種として上記２種の様な１年草若しくは短年草を採用すると、牧草種の衰退期間が早く、周辺植物の生長を阻害することがない為好ましい。また、上述の先駆性植物を導入すると、植生遷移の速度が上がり、より早期に周辺植生と同様の植生を復元させることができるため好適である。
【００３１】
前記薄綿８は凹凸のある法面Ｎに容易に密着できる程度の柔軟性を有し、前記二重網構造の網状体本体１ａ（特に第１ネット２）の下面に例えば熱融着や接着剤などによって取り付けられるものであり、保水材、土壌改良剤および肥料などが接着されている。なお、上述の保水材などを取り付けるときに網状体本体１ａに熱を加えることにより、第１ネット２と第２ネット３の熱収縮率が異なっているので、第１ネット２に比べて第２ネット３が大きく収縮する。これは、第２ネット３を構成するモノフィラメントが押し出し形成処理によって製造されるものであるのに対し、第１ネット２を構成するフラットヤーンが熱をかけながら延伸処理して形成されるものであることによると考えられる。
【００３２】
また、前記薄綿８は、施工後１年以上が経過しても完全に分解しないものであり、少なくとも数カ月以上は法面に対して雨風が直接的に当たらないようにするものである。また、薄綿８は分解速度の異なる２種類以上の繊維を混合させて十分な耐蝕性や吸水性を兼ね備えたものである。本実施例における薄綿８は、吸水性に優れた繊維の一例としてレーヨンに、耐蝕性のある繊維として例えばポリ乳酸繊維などの生分解性プラスチックの素材からなる繊維（例えば商品名：「ラクトロン」）を混合したものである。
【００３３】
なお、レーヨンもポリ乳酸繊維も最終的には微生物によって完全に分解されるものであるので好ましい。しかしながら、薄綿８を構成する繊維はレーヨンやポリ乳酸繊維に限定されるものではないことはいうまでもない。すなわち、吸水性のある繊維はレーヨンだけでなく、やし繊維など種々のものを用いることができ、耐蝕性のある繊維としては、ポリ乳酸繊維以外の生分解性プラスチックを用いてもよく、羊毛などの動物性繊維を用いても、やし繊維や竹繊維などの強度のある植物性繊維を用いてもよい。さらには、金属繊維などを用いることも可能である。
【００３４】
薄綿８はその繊維に飛来種子や落下種子を絡ませて捕捉するものであると共に、種子の発芽および生育に必要な水分を確保するものである。また、薄綿８が十分な耐久性と吸水性を有するものであれば、法面Ｎの表層土壌を雨風による浸食から守ることができ、また、冬期の凍上から守ることができる。
【００３５】
前記植生マット１は、図４に示すように法面Ｎに対して敷設される。すなわち、前記植生袋７が肥料袋５の谷側に来るように、植生マット１の上下方向を定めると共に、肥料袋５と植生袋７がほゞ等高線状になるようにして、植生マット１の最上部の前記肥料袋５または植生袋７をアンカー２０によって固定する。
【００３６】
次いで、植生マット１を順次下側に敷延して肥料袋５または植生袋７の位置において、サブアンカー２１や止め釘２２によって植生マット１を法面Ｎに打ちつけて固定する。このとき、第２ネット３に幾らかの張力をかけるように植生マット１を敷設することにより、第２ネット３は肥料袋５や植生袋７の直径分だけ法面Ｎから少し浮いた位置に保持される。本実施例の場合、肥料袋５および植生袋７の直径を２〜３ｃｍにしており、第１ネット２と第２ネット３との間に２〜３ｃｍの空間を形成するように構成してある。このとき、第２ネット３が第１ネット２に比べて少し収縮させているので、第２ネット３に張力をかけた状態でも第１ネット２を少し弛ませた状態にすることができ、第１ネット２が法面Ｎに沿わせることができるようにしている。
【００３７】
図４に示す法面保護工法によって植生マット１を敷設することにより、法面Ｎに薄綿８を密着させて、その表層土壌の浸食防止や凍上防止を行うことができると共に、飛来種子や落下種子を捕捉するための十分な広さの種子捕捉領域１０を確保することができる。施工後は早い時期に基材袋７内の種子７ｂを発芽させることができ、これによって法面Ｎの緑化を達成できるとともに、植物の根が張ることにより法面Ｎを安定化することができる。これに加えて、飛来種子や落下種子を用いた法面Ｎの緑化を行うこともできる。
【００３８】
ここで、図１を参照して飛来種子または落下種子（以下単に種子という）３０が種子捕捉領域１０に落下する場合を考慮する。この種子捕捉領域１０に落下する種子３０は、まず、第２ネット３に当たるなどして、その落下速度が低下し、第１ネット２に当たって第１ネット２の表面に留まる。
【００３９】
このとき、第２ネット３の目合い３ｃを種子３０に比べて十分大きくしているので、種子３０は第２ネット３を容易に通過できる。また、第２ネット３に触れることなく落下する種子３０があった場合は、第１ネット２の目合い２ｃが第２ネット３の目合い３ｃに比べて密であるから種子３０がこれに当たって止まる。そして、符号３１に示す種子のように、第１ネット２の裏面に取り付けられた薄綿８の繊維が絡まるなどして、その種子３１が薄綿８によって捕捉されて、その場に留まる。
【００４０】
前記第２ネット３や第１ネット２は、種子３０を通すことができる程度の目合い３ｃ，２ｃを有するものの薄綿８によって捕捉された種子３１に強い風が直接的に当たらないように風除けとしても機能して種子３１を保護することができる。また、薄綿８は保水性を有するので種子３１が発芽および生育するために必要な水分を供給することができる。
【００４１】
一方、落下した種子３０が例えばドングリのような転がりやすい種子である場合などには、薄綿８の繊維に絡まることなく、外部からの風を受けるなどして第１ネット２の表面を転がることが考えられる。しかしながら、第２ネット３によって上部が覆われているので、一旦落下した種子３０は風によって吹き飛ばされることから保護されており、第１ネット２の表面を転がった種子は重力によって谷側に移動する。そして、符号３２に示す種子のように、肥料袋５によって形成される小段に当接してポケット９内に捕捉される。また、ポケット９に捕捉された種子３２は目合い３ｃ’が種子よりも密に形成された第２ネット３によって袋状に覆われているので、容易に流亡することがない。
【００４２】
ここで、本発明による植生マット１の種子捕捉能力を確認するため、従来の肥料袋付植生マット（非立体型二重ネット）および何も敷設していない裸地と比較した飛来種子捕捉能力試験を行った。試験条件は、勾配が１：１．０の法面Ｎにおいて、使用土：マサ土、土壌硬度：２５ｍｍとし、植物種子を高さ３ｍより落下させた際に捕捉された種子数を計数すると共に、その捕捉状況を確認した。
【００４３】
まず、アラカシの種子を１試験区当たり１００粒落下させたところ、従来の肥料袋付植生マットは３粒、裸地では０粒の捕捉であったが、本発明による植生マット１では３７粒の捕捉が確認された。この際の捕捉状況は、肥料袋５直上のポケット９による捕捉が一番多く、ポケット９の機能が有効に機能していることが確認された。
【００４４】
次に、１試験区当たり５ｇ（約８００粒）のヤマハギの種子を用いて同様の試験を行ったところ、裸地では捕捉が確認されないものの、従来の肥料付植生マットでは約５０粒、本発明の植生マット１では約４００粒の種子が捕捉されることが確認できた。この際の捕捉状況は、従来の肥料袋付植生マットではそのほとんどが肥料袋の上の段になっている部分にのみ捕捉されたが、本発明の植生マット１ではマット全体に面状に捕捉される結果となった。これは、本発明の植生マット１が立体構造を持つため、第１ネット２に当たることにより種子の落下速度が軽減されると共に落下方向が分散し、薄綿８の部分に広く捕捉されたものと考えられる。
【００４５】
以上の結果より、本発明に係る植生マット１の種子捕捉能力は、アラカシのような所謂ドングリと呼ばれる種子では従来の肥料袋付植生マットの約１２倍、ヤマハギのような小型の種子でも約８倍を有することが確認された。これは、通常は落下種子が地面に衝突した際に跳ねてしまうため、種子が斜面に定着することは難しいが、本発明の植生マット１は立体構造を持つため、落下してきた種子が直接第１ネット２に当たることにより種子の落下速度が軽減されると共に、跳ね返った後も第１ネット２で種子の運動エネルギーを吸収し、立体構造の網状体本体１ａの内部に種子を溜めることが可能であるためと考えられる。
【００４６】
また、本実施例における第２ネット３はモノフィラメントのように熱収縮率の高い繊維によって形成されているので、施工後に夏期の太陽熱などによって収縮して第２ネット３にかかる張力を強く保つことができると考えられる。つまり、網状体本体１ａの立体的な二重網構造を長期間にわたって保つことができる。
【００４７】
図５は施工後所定期間が経過した時点における周辺植物導入用の植生マット１の状態を示す図である。図５に示すように、施工後は早い時期に基材袋７内の種子７ｂを発芽生長するので、法面Ｎを緑化し、植物の根が深く張ることによって法面Ｎの表層土壌を安定化することができる。薄綿８には土壌改良剤が接着されており、薄綿８自身がもつ保水性能に加えて保水材も接着されているので、法面Ｎを植物の生育に適した環境にすることができる。
【００４８】
そして、種子捕捉領域１０に落下し、そこに留まった種子３１も薄綿８によって保水されると共に薄綿８に接着した肥料から養分を得て発芽生育することができる。そして、特にポケット９内に捕捉された植物の種子３２は肥料袋５内の肥料５ｂから養分を得ることができるので、容易かつ確実に発芽生育することができる。
【００４９】
また、肥料袋５内の肥料５ｂは超遅効性であり、余分な養分を供給することがないので、肥料過多を防ぐことができ、ポケット９内の郷土種のみを生長させるのに必要な養分だけを供給することができる。つまり、肥料過多による水質汚染や雑草の繁茂といった問題が発生することを防止し、施工現場の生態系に影響を与えることなく、郷土種の繁茂を達成することができる。
【００５０】
上述の実施例では植生マット１が基材袋７を有することにより施工後の早期において、法面Ｎを緑化し安定させることができるようにしているが、本発明はこれに限られるものではない。すなわち、種子７ｂを含ませた基材袋７を省略した構成とすることにより、例えば国定公園や国立公園などの種子の持ち込みが制限されているような現場においても、法面の浸食を防止するとともに、郷土種による緑化を行うことができる。
【図面の簡単な説明】
【００５１】
【図１】本発明の周辺植物導入用の植生マットの構成を示す縦断面図である。
【図２】前記植生マットの網状体本体の構成を示す分解斜視図である。
【図３】前記植生マットの構成を拡大して示す斜視図である。
【図４】前記植生マットを用いた法面保護工法を説明する図である。
【図５】前記植生マットを敷設した後の状態を示す図である。
【符号の説明】
【００５２】
１      周辺植物導入用の植生マット
２      第１ネット
２ｃ    目合い
３      第２ネット
３ｃ    目合い
３ｃ’  目合い
４      収容部
５      肥料袋
６      収容部
７      基材袋
８      薄綿
９      ポケット
１０    種子捕捉領域
３２    周辺植物の種子
【図１】
2006266043.tif 000003
【図２】
2006266043.tif 000004
【図３】
2006266043.tif 000005
【図４】
2006266043.tif 000006
【図５】
2006266043.tif 000007